(57)【要約】【課題】充電中か否かが見ただけで判断可能なモールド用開路蓋を提供する。【解決手段】モールド用開路蓋７は、モールドジスコンの固定電極が設けられた固定モールドに装着されて固定電極を保護する本体部７１と、本体部７１に設けられ、本体部７１が固定モールドに装着された場合に固定電極に当接する導通部７２と、導通部７２を通じて固定電極が充電状態であるか否かを検電する検電ユニット７３と、検電ユニット７３の検電結果を点灯および消灯して報知する発光素子７３３および透光部材７４とを備えている。【選択図】図４
2018098924.tif 000002
【特許請求の範囲】
【請求項１】
モールドジスコンの固定電極が設けられた固定モールドに装着され、前記固定電極を保護する本体部と、
前記本体部に設けられ、前記本体部が前記固定モールドに装着された場合に、前記固定電極に当接する導通部と、
前記導通部を通じて前記固定電極が充電状態であるか否かを検電する検電手段と、
前記検電手段の検電結果を報知する報知手段と、を備える、
ことを特徴とするモールド用開路蓋。
【請求項２】
前記報知手段は、前記検電結果を表示するための表示部を備える、
ことを特徴とする請求項１に記載のモールド用開路蓋。
【請求項３】
前記本体部が前記固定モールド部から取り外されたことを検出する取外し検出手段と、
前記取外し検出手段によって前記本体部が前記固定モールド部から取り外されたことが検出された場合に、前記固定電極への検電作業を促す音声を出力する警告手段と、を備える、
ことを特徴とする請求項１または２に記載のモールド用開路蓋。
【請求項４】
前記モールドジスコンが収容された配電箱の開閉状態を検出する開閉検出手段を備え、
前記報知手段は、前記開閉検出手段によって前記配電箱が閉じられていることが検出された場合には動作を停止し、前記開閉検出手段によって前記配電箱が開かれたことが検出された場合に動作を開始する、
ことを特徴とする請求項１ないし３のいずれか１項に記載のモールド用開路蓋。
【発明の詳細な説明】
【技術分野】
【０００１】
本発明は、モールドジスコンの固定モールドに装着されるモールド用開路蓋に関するものである。
【背景技術】
【０００２】
高圧配電線路から需要家側への電力の供給を開始または停止できるようにするために、路上や建物の敷地内には、供給用配電箱（高圧キャビネットなど）が設置されている。この供給用配電箱では、例えば、電源側地中ケーブルと負荷側（需要家側）地中ケーブルとがそれぞれモールドジスコンに接続され、モールドジスコンの間をモールド母線によって接続している。モールドジスコンは、モールド母線と地中ケーブルとが開路状態（電気的に接続していない状態）となるように接続された固定モールドと、この固定モールドに装着された場合にモールド母線と地中ケーブルとを閉路状態（電気的に接続された状態）にする閉路蓋とからなる。
【０００３】
上述したモールドジスコンは、経時劣化や損傷等によるケーブルの交換や、検査や試験などの保守・点検が定期的に実施される。このような保守・点検の際に、固定モールドに装着された閉路蓋を取り外すことにより回路を遮断し、閉路蓋の代わりに開路蓋を装着することにより固定モールドの露出された固定電極を保護している。開路蓋は、例えば、絶縁性を有する材質（例えばゴムなど）により一端が閉じられた略円筒形状をしており、固定モールドの外側に嵌合される（例えば、特許文献１参照）。
【先行技術文献】
【特許文献】
【０００４】
【特許文献１】特開平０９−２５９７０９号公報
【発明の概要】
【発明が解決しようとする課題】
【０００５】
従来は、収容されているモールドジスコンが充電中であるか否かを作業者に知らせるために、供給用配電箱の扉の外側に「停電中」または「充電中」などのラベルを貼るという運用がなされている。また、モールドジスコンの保守・点検を行う際には、検電を行って充電中であるか否かを確認することが作業手順として定められている。しかしながら、供給用配電箱の扉の外側に貼られているラベルは、扉を開くと見えなくなってしまう。また、モールドジスコンに閉路蓋が装着されている場合には充電中と判断することができるが、閉路蓋が取り外されて開路蓋が装着されている状態では、開路蓋を見ただけでは充電中か否かが判断できない。そのため、作業者のミスで検電作業を忘れてしまったり、思い込みや勘違いなどで停電中と判断して地絡・短絡による停電事故を引き起こす恐れがあった。
【０００６】
本発明は、上記課題を解決するために、充電中か否かが見ただけで判断可能なモールド用開路蓋を提供することを目的とする。
【課題を解決するための手段】
【０００７】
上記課題を解決するために、請求項１に記載の発明は、モールドジスコンの固定電極が設けられた固定モールドに装着され、前記湖底電極を保護する本体部と、前記本体部に設けられ、前記本体部が前記固定モールド部に装着された場合に前記固定電極に当接する導通部と、前記導通部を通じて前記固定電極が充電状態であるか否かを検電する検電手段と、前記検電手段の検電結果を報知する報知手段と、を備えることを特徴とするモールド用開路蓋である。
【０００８】
請求項１に記載の発明によれば、モールドジスコンの固定電極を保護するためにモールド用開路蓋の本体部を固定モールドに装着すると、本体部に設けられた導通部が固定電極に当接する。検電手段は、導通部を通じて固定電極が充電状態であるか否かを検電し、報知手段は、検電手段の検電結果を報知する。
【０００９】
請求項２に記載の発明は、請求項１に記載のモールド用開路蓋において、前記報知手段は、前記検電結果を表示するための表示部を備える、ことを特徴とする。
【００１０】
請求項３に記載の発明は、請求項１または２に記載のモールド用開路蓋において、前記本体部が前記固定モールド部から取り外されたことを検出する取外し検出手段と、前記取外し検出手段によって前記本体部が前記固定モールド部から取り外されたことが検出された場合に、前記固定電極への検電作業を促す音声を出力する警告手段と、を備えることを特徴とする。
【００１１】
請求項４に記載の発明は、請求項ないし３のいずれか１項に記載のモールド用開路蓋において、前記モールドジスコンが収容された配電箱の開閉状態を検出する開閉検出手段を備え、前記報知手段は、前記開閉検出手段によって前記配電箱が閉じられていることが検出された場合には動作を停止し、前記開閉検出手段によって前記配電箱が開かれたことが検出された場合に動作を開始することを特徴とする。
【発明の効果】
【００１２】
請求項１に記載の発明によれば、モールド用開路蓋により固定電極が充電中であるか否かを検電し、さらにその検電結果を報知手段により報知するので、充電中の固定電極に対して保守・点検が行われるのを防ぐことが可能である。また、固定電極を保護するために装着されるモールド用開路蓋を利用して検電を行うので、別途に検電装置を必要とせず、作業者による検電作業も省略することが可能となるので、検電作業の忘れによる事故の発生も防ぐことが可能となる。
【００１３】
請求項２に記載の発明によれば、表示部によって検電手段の検電結果を表示するので、固定電極が充電中であるか否かを視覚的に確認することが可能となる。固定モールドの保守・点検を行う場合、モールド用開路蓋を取り付けるとき、または取り外すときに作業者は必ずモールド用開路蓋を見るので、固定電極が充電中であるか否かを確実に確認することが可能となる。
【００１４】
請求項３に記載の発明によれば、モールド用開路蓋が固定モールドから取り外される際、すなわち、報知手段による検電結果の報知が終了する際に固定電極への検電作業を促す音声を出力して警告するので、モールド用開路蓋を取り外した後に検電作業が忘れられるのを防ぐことが可能となる。
【００１５】
請求項４に記載の発明によれば、配電箱が閉じられている間は報知手段の動作を停止し、配電箱が開かれた場合に報知手段の動作を開始するので、不要時に報知手段が動作して電力が無駄に消費されるのを防ぐことが可能である。また、報知手段の電源に電池などを用いている場合には、その電池の消耗を抑えることが可能となる。そのため、電池の消耗により充電状態が報知されないといった問題も少なくなるので、地絡・短絡による事故の発生を防ぐことが可能となる。また、報知手段に電源スイッチを設けることも考えられるが、電源スイッチでは、電源の入れ忘れが発生する可能性がある。その点、配電箱の開閉状態に応じて報知手段の動作状態を切り換えるので、電源の入れ忘れは発生しない。
【図面の簡単な説明】
【００１６】
【図１】供給用配電箱の扉が開放された状態を示す正面図である。
【図２】三極型モールドジスコンの正面図および側面図である。
【図３】三極型モールドジスコンの断面図である。
【図４】この発明の実施の形態１に係るモールド用開路蓋の断面図である。
【図５】実施の形態１の検電ユニットの電気的な構成を示すブロック図である。
【図６】実施の形態１のモールド用開路蓋を三極型モールドジスコンに装着する状態を示す断面図である。
【図７】実施の形態１のモールド用開路蓋を三極型モールドジスコンに装着した状態を示す正面図である。
【図８】実施の形態１のモールド用開路蓋を単極型モールドジスコンに装着した状態を示す正面図および側面図である。
【図９】この発明の実施の形態２に係るモールド用開路蓋の断面図である。
【図１０】実施の形態２の検電ユニットの電気的な構成を示すブロック図である。
【図１１】この発明の実施の形態３に係るモールド用開路蓋の断面図である。
【図１２】実施の形態３の検電ユニットの電気的な構成を示すブロック図である。
【発明を実施するための形態】
【００１７】
以下、この発明を図示の実施の形態に基づいて説明する。
【００１８】
（実施の形態１）
図１〜図７は、この実施の形態を示し、図１は、三極型のモールドジスコンが収容された供給用配電箱（以下、配電箱という）の正面図、図２および図３は、三極型のモールドジスコンの正面図、側面図および要部断面図である。また、図４は、この実施の形態に係るモールド用開路蓋（以下、開路蓋という）を示す断面図、図５は、モールド用開路蓋の電気的な構成を示すブロック図である。図６および図７は、固定モールドへの開路蓋の装着状態を示す断面図および正面図である。
【００１９】
図１に示すように、配電箱１は、高圧配電線路から需要家側への電力の供給を開始または停止できるようにするために、路上や建物の敷地内に設置されている。この配電箱１内には、電源側地中ケーブル２と負荷側地中ケーブル３、４とを断接可能に接続するために、地中から電源側地中ケーブル２と負荷側地中ケーブル３、４とが立ち上げられており、これらの電源側地中ケーブル２と負荷側地中ケーブル３、４とが三極型のモールドジスコン５にそれぞれ接続され、各モールドジスコン５の間がモールド母線６によって接続されている。
【００２０】
図２および図３に示すように、モールドジスコン５は、モールド母線６と電源側地中ケーブル２および負荷側地中ケーブル３、４（以下、地中ケーブルという）とが開路状態となるように接続された固定モールド５１と、固定モールド５１に装着される閉路蓋５２とからなる。
【００２１】
固定モールド５１は、エポキシモールド等のモールド絶縁体で形成されており、モールド母線６の各相に接続された一次側の固定電極５１１ａを収容した一次側の固定モールド部５１１と、地中ケーブル２〜４の各相に接続された二次側の固定電極５１２ａを収容した二次側の固定モールド部５１２とからなる電極対を３組備え、一次側の固定電極５１１ａと二次側の固定電極５１２ａとがそれぞれの固定モールド部５１１、５１２によって隔離されることにより、開路状態とされている。
【００２２】
なお、モールド母線６は、その下部に所定の間隔をおいて３相分の接続部６ａが形成され、これらの接続部６ａに一次側の固定電極５１１ａが電気的に接続されている。また、地中ケーブル２〜４は、二次側の固定モールド部５１２の基端部から下方へ延びるブッシング５１３を介して二次側の固定電極５１２ａに電気的に接続されている。
【００２３】
閉路蓋５２は、一次側の可動端子５２１ａおよび二次側の可動端子５２２ａと、可動端子５２１ａと可動端子５２２ａとを電気的に接続するブスバー５２３とをそれぞれ有する３組の蓋本体５２４を備える。蓋本体５２４は、固定モールド５１と同様に、エポキシモールド等のモールド絶縁体で形成されている。閉路蓋５２が固定モールド５１に装着されると、一次側の可動端子５２１ａおよび二次側の可動端子５２２ａが、一次側の固定電極５１１ａおよび二次側の固定電極５１２ａにそれぞれ接触するので、３相のモールド母線６と地中ケーブル２〜４とが電気的に接続されて閉路状態となる。
【００２４】
図４に示すように、この実施の形態に係る開路蓋７は、一次側の固定電極５１１ａが充電中であるか否かを検電してその検電結果を作業者に報知する機能を備えたものであり、本体部７１と、導通部７２と、検電ユニット（検電手段、報知手段および開閉検出手段）７３と、透光部材（表示部）７４とを備える。なお、開路蓋７は、三極型のモールドジスコン５に対応するため、３個で１組として使用される。
【００２５】
本体部７１は、一次側の固定モールド部５１１の外側に嵌合するように装着して一次側の固定電極５１１ａを保護するために、ゴムやプラスチックなどの絶縁性を有する材質で形成され、一端が閉じられた略円筒形状をしている。本体部７１は、一次側の固定モールド部５１１の外周面に接して嵌合する円筒形状の外筒部７１ａと、一次側の固定電極５１１ａの外周面に接して嵌合する円筒形状の内筒部７１ｂとを備えている。また、本体部７１の背面（閉じられた端部側）には、検電ユニット７３を収容するための空間部７１ｃと、この空間部７１ｃに連なるように設けられた開口７１ｄとが設けられている。
【００２６】
本体部７１には、開口７１ｄを塞ぐように、透光性を備えたプラスチックなどで形成された透光部材７４が嵌め込まれている。透光部材７４の外面または内面には、例えば、「充電中」のうちのいずれか１文字が遮光シートで形成されて貼り付けられている。また、３個で１組を構成する別の２つの開路蓋７には、「充電中」のうちの異なる１文字がそれぞれ遮光シートで形成されて貼り付けられている。したがって、３個の開路蓋７を一次側の固定モールド部５１１に装着すると、「充電中」の文が構成される。なお、透光部材７４には、文字を切り抜いた遮光シートを貼り付けてもよいし、透光部材７４の色と区別しやすい塗料で文字を書いてもよい。
【００２７】
導通部７２は、金属などの導通性を有する材質で略円筒形状に形成されており、内筒部７１ｂの内側に装着されている。導通部７２は、内筒部７１ｂを通されたリード線によってと検電ユニット７３に接続されている。したがって、本体部７１を固定モールド部５１１に装着すると、導通部７２が一次側の固定電極５１１ａに当接して導通するので、固定電極５１１ａと検電ユニット７３とが電気的に接続される。
【００２８】
検電ユニット７３には、本発明の検電手段、報知手段および開閉検出手段を構成するための各種回路が設けられており、これらの回路は、回路基板７３１に設けられた回路パターンと、この回路基板７３１上に取り付けられた電子部品７３２、７３３、７３４などによって構成されている。電子部品７３２は、例えば抵抗などの電子部品であり、電子部品７３３は、報知手段を構成する発光素子である。また、電子部品７３４は、開閉検出手段を構成するフォトセンサである。符号７３５は、発光素子７３３の電源となる電池である。
【００２９】
図５に示すように、検電ユニット７３は、各種回路として、導通部７２が接続された入力回路７３６と、検電回路７３７とを備える。入力回路７３６は、検電回路７３７に接続され、検電回路７３７には、発光素子７３３およびフォトセンサ７３４が接続されている。入力回路７３６は入力抵抗であり、導通部７２を介して流れてきた一次側の固定電極５１１ａの電位を検電回路７３７に入力する。検電回路７３７は、具体的には、入力回路７３６の入力抵抗と併せて構成される分圧回路であり、この分圧回路で分圧された電位に基づき、一次側の固定電極５１１ａが充電中であるか否か（停電状態である）を検出する。
【００３０】
発光素子７３３は、例えば、ＬＥＤ（Light Emitting Diode；発光ダイオード）であり、一次側の固定電極５１１ａが充電中である場合に、検電回路７３７によって点灯される。なお、発光素子７３３への電池７３５からの電源供給は、フォトセンサ７３４により制御されている。検電回路７３７は、フォトセンサ７３４が透光部材７５を透過する光を検知したとき、すなわち、配電箱１の扉が開かれたときに発光素子７３３へ電源を供給し、それ以外の配電箱１の扉が閉まっているときには、発光素子７３３への電源供給を停止する。このようなフォトセンサ７３４による電源供給制御により、電池７３５の消費が抑制される。
【００３１】
次に、上記実施の形態の作用について説明する。作業者は、保守・点検などの作業を行う際に配電箱１の扉を開き、モールドジスコン５から閉路蓋５２を取り外し、一次側の固定電極５１１ａを保護するために、固定モールド部５１１に開路蓋７を装着する。なお、詳しくは図示しないが、保守・点検などの作業時には、二次側の固定モールド部５１２の固定電極５１２ａがモールド接地器具によって設置される。モールド接地器具は、例えば、固定モールド部５１２に装着される本体部と、本体部に設けられて固定電極５１２ａに接触する導通部と、導通部に接続された接地ケーブルと、接地ケーブルの先端に設けられて配電箱１に接地状態で固定するワニ口クリップなどを備えている。
【００３２】
図６および図７に示すように、３相の固定モールド部５１１に３個の開路蓋７がそれぞれ装着されると、各開路蓋７の導通部７２が一次側の固定電極５１１ａに接触するので、固定電極５１１ａと検電ユニット７３とが電気的に接続される。検電回路７３７は、一次側の固定電極５１１ａの電位に基づいて、固定電極５１１ａが充電中であるか否かを検出する。検電回路７３７は、固定電極５１１ａが充電中でない場合には発光素子７３３を消灯させ、充電中である場合には発光素子７３３を発光させる。発光素子７３３の光は、透光部材７４を通して開路蓋７の外部に放射され、透光部材７４に設けられた「充電中」の文字を視認しやすく（浮き上がるように）表示する。
【００３３】
固定モールド５１に開路蓋７が装着された状態で配電箱１の扉が閉じられると、配電箱１内は暗くなってフォトセンサ７３４により光が検出されなくなるので、検電回路７３７は、発光素子７３３への電源供給を停止する。また、配電箱１の扉が開放されると、配電箱１内に光が入り、フォトセンサ７３４により検出されるので、検電回路７３７は発光素子７３３への電源供給を開始する。なお、開路蓋７が固定モールド部５１１から取り外されると、検電回路７３７は電位を検出せず、停電状態を同じ状態となるので、フォトセンサ７３４に光が入射する明るい場所に開路蓋７を持っていっても発光素子７３３は発光しない。
【００３４】
本実施の形態によれば、開路蓋７により一次側の固定電極５１１ａが充電中であるか否かを検電し、さらにその検電結果を透光部材７４（表示部）および発光素子７３３（報知手段）により報知するので、充電中の固定電極５１１ａに対して保守・点検が行われるのを防ぐことが可能である。また、固定電極５１１ａを保護するために装着される開路蓋７を利用して検電を行うので、検電装置を別途に必要とせず、作業者による検電作業も省略することが可能となるので、検電作業の忘れによる事故の発生も防ぐことが可能となる。
【００３５】
また、充電状態の報知に透光部材７４および発光素子７３３を利用するので、固定電極５１１ａの充電状態を視覚的に確認することが可能となる。そして、固定電極５１１ａの保守・点検を行う際に開路蓋７を取り付けるとき、または取り外すときに作業者は必ず開路蓋７を見るので、固定モールド部５１１の充電状態を確実に確認することが可能となる。
【００３６】
さらに、配電箱１が閉じられている間は発光素子７３３の動作を停止し、配電箱１が開かれた場合に発光素子７３３の動作を開始するので、不要時に発光素子７３３が動作して電池７３５が消耗するのを抑えることが可能となる。そのため、電池７３５の消耗により充電状態が報知されないといった事態も少なくなるので、地絡・短絡による事故の発生を防ぐことが可能となる。また、発光素子７３３に電源スイッチを設けることも考えられるが、電源スイッチでは、電源の入れ忘れが発生する可能性がある。その点、配電箱１の開閉状態に応じて発光素子７３３の動作状態を切り換えるので、電源の入れ忘れによる事故は発生しない。
【００３７】
なお、実施の形態１では、開路蓋７を三極型のモールドジスコン５に使用する場合について説明したが、図８（ａ）、（ｂ）に示すように、単極型のモールドジスコンに利用してもよい。単極型のモールドジスコンは、三極型のモールドジスコン５と同様に、固定モールド５１Ａと図示しない単極用の閉路蓋とからなり、固定モールド５１Ａには、一次側の固定モールド部５１１および固定電極５１１ａ、二次側の固定モールド部５１２および固定電極５１２ａが設けられ、開路蓋７は閉路蓋の代わりに一次側の固定モールド部５１１に装着される。
【００３８】
開路蓋７が一次側の固定モールド部５１１に装着されると、導通部７２によって固定電極５１１ａと検電ユニット７３とが電気的に接続され、固定電極５１１ａが充電中であるか否かが検出される。固定電極５１１ａが充電中である場合には、発光素子７３３が発光して透光部材７４から放射される。なお、単極型のモールドジスコンには、開路蓋７は一つしか使用されないので、一つの透光部材７４に「充電中」という文字全体を記しておくのが好ましい。
【００３９】
（実施の形態２）
図９、図１０は、この実施の形態を示し、図９は、この実施の形態に係る開路蓋７Ａの構成を示す断面図、図１０は、開路蓋７Ａに設けられた検電ユニット７３Ａの電気的な構成を示すブロック図である。この実施の形態では、音声によって充電状態を報知する点で実施の形態１と構成が異なり、実施の形態１と同等の構成については、同一符号を付することでその説明を省略する。
【００４０】
検電ユニット７３Ａは、実施の形態１の発光素子に代えて、発音回路７３８および発音素子７３９（報知手段）を備える。発音回路７３８は、不揮発性メモリに記憶された音声データ（例えば、「充電中です」）を再生する回路であり、発音素子７３９は小型スピーカである。本体部７１には、開口および透光部材の代わりに、発音素子７３９から出力された音声を外部に通すためのスリット７１ｅが設けられている。
【００４１】
この開路蓋７Ａでは、検電回路７３７によって一次側の固定電極５１１ａが充電状態であることが検出された場合、発音回路７３８および発音素子７３９により、例えば「充電中です」などのメッセージが１回または複数回、繰り返し再生される。
【００４２】
なお、発音回路７３８および発音素子７３９への電池７３５からの電源供給は、実施の形態１と同様にフォトセンサ７３４により制御されており、フォトセンサ７３４が透光部材７５を透過する光を検知したとき（供給用配電箱の扉を開けたとき）にのみ電源が供給され、それ以外の（供給用配電箱の扉が閉まっている）ときには、電源供給されずに発音しないようになっている。また、開路蓋７Ａが固定モールド部５１１から取り外されると、検電回路７３７は電位を検出せず、停電中と同じ状態となるので、フォトセンサ７３４に光が入射する明るい場所に開路蓋７を持っていっても発音素子７３９は音声を出力しない。
【００４３】
本実施の形態によれば、開路蓋７Ａにより一次側の固定電極５１１ａが充電中であるか否かを検電し、さらにその検電結果を発音回路７３８および発音素子７３９により音声で報知するので、充電状態の固定モールド部５１１に対して保守・点検が行われるのを防ぐことが可能である。また、固定モールド部５１１を保護するために装着される開路蓋７を利用して検電を行うので、検電装置を必要とせず、作業者による検電作業も省略することが可能となるので、検電作業の忘れによる事故の発生も防ぐことが可能となる。
【００４４】
また、配電箱１が閉じられている間は発音回路７３８および発音素子７３９の動作を停止し、配電箱１が開かれた場合に発音回路７３８および発音素子７３９の動作を開始するので、不要時に発音回路７３８および発音素子７３９が動作して電池７３５が消耗するのを抑えることが可能となる。
【００４５】
（実施の形態３）
図１１、図１２は、この実施の形態を示し、図１１は、この実施の形態に係る開路蓋７Ｂの構成を示す断面図、図１２は、開路蓋７Ｂに設けられた検電ユニット７３Ｂの電気的な構成を示すブロック図である。この実施の形態では、開路蓋７Ｂが固定モールド部５１１から取り外される際に検電を促す警告を行う点で実施の形態１、２とは構成が異なる。なお、実施の形態１と同等の構成については、同一符号を付することでその説明を省略する。
【００４６】
本体部７１は、外筒部７１ａの内周面に開口部７１ｆが設けられ、その奥に空間部７１ｇが設けられている。空間部７１ｇには、開路蓋７Ｂが固定モールド部５１１から取り外されたことを検出する取外し検出機構（取外し検出手段）８が組み込まれている。取外し検出機構８は、開口部７１ｆから突出する突起８１１が設けられた可動電極板８１と、この可動電極板８１を突起８１１が開口部７１ｆから突出する方向に付勢するバネ８２と、可動電極板８１が突起８１１を開口部７１ｆから突出させる位置に移動したときに可動電極板８１と当接する固定電極板８３とを備える。可動電極板８１および固定電極板８３は、外筒部７１ａ内を通って検電ユニット７３Ｂに接続されている。
【００４７】
検電ユニット７３Ｂは、電子部品７３２、発光素子７３３およびフォトセンサ７３４の他に、発音回路７３８、発音素子７３９およびスイッチ７３８ａを備えている。発音回路７３８は、不揮発性メモリに記憶された音声データ（例えば、「検電してください」）を再生する回路であり、発音素子７３９は小型スピーカである。スイッチ７３８ａは、発音素子７３９からの音声出力を停止するためのものであり、作業者によって操作できるように本体部７１の外周面に配置されている。
【００４８】
取外し検出機構８は、発音回路７３８に接続されている。また、発音回路７３８は、スイッチ７３８ａを介して電池７３５に接続されている。発音回路７３８は、取外し検出機構８の可動電極板８１と固定電極板８３とが接触すると音声を出力し、この音声出力中にスイッチ７３８ａが操作されると音声の出力を停止するように構成されている。本体部７１には、発音素子７３９から出力された音声を外部に通すためのスリット７１ｈが設けられている。
【００４９】
この開路蓋７Ｂを一次側の固定モールド部５１１に装着すると、固定モールド部５１１の外周面で突起８１１が押され、可動電極板８１がバネ８２の付勢に抗して固定電極板８３から離れる方向に移動する。この状態では、可動電極板８１と固定電極板８３とが接触しないので、発音回路７３８および発音素子７３９からは音声は出力されない。また、開路蓋７Ｂは、固定モールド部５１１に装着されている間は、実施の形態１の開路蓋７と同様に一次側の固定電極５１１ａの充電状態を検電し、充電中である場合には、発光素子７３３を発光させる。
【００５０】
開路蓋７Ｂを固定モールド部５１１から取り外すと、突起８１１が押圧されなくなった可動電極板８１は、バネ８２の付勢によって固定電極板８３に接触する。これにより、発音回路７３８は、発音素子７３９から「検電してください」などのメッセージを繰り返し出力し、スイッチ７３８ａが操作されるとメッセージの出力を停止する。
【００５１】
本実施の形態によれば、開路蓋７Ｂが固定モールド部５１１から取り外される際、すなわち、発光素子７３３および透光部材７４による充電状態の報知が終了する際に固定電極５１１ａへの検電作業を促す音声を出力して警告するので、開路蓋７Ｂを取り外した後に検電作業が忘れられるのを防ぐことが可能となる。
【００５２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、透光部材７４に「充電中」などの文字を付したが、文字の代わりに記号などを付してもよいし、文字や記号を省略して発光素子７３３の点灯もしくは消灯のみで充電状態を表すようにしてもよい。
【００５３】
また、実施の形態１〜３を組み合わせて、充電状態を光および音声によって報知し、開路蓋の取り外し時に検電作業を行うよう音声で警告するようにしてもよい。
【００５４】
また、報知手段として発光素子７３３を用いたが、例えばネオン式検電器を採用し、ネオン管の光で充電状態を報知してもよい。これによれば、発光素子７３３および電池７３５を省略することができるので、電池交換などのメンテナンスが不要となる。
【符号の説明】
【００５５】
１                      供給用配電箱
２                      電源側地中ケーブル
３、４                  負荷側地中ケーブル
５                      三極型モールドジスコン
５１                    固定モールド
５１１                  一次側の固定モールド部
５１１ａ                一次側の固定電極
５１２                  二次側の固定モールド部
５１２ａ                二次側の固定電極
５２                    閉路蓋
６                      モールド母線
７、７Ａ、７Ｂ          モールド用開路蓋
７１                    本体部
７２                    導通部
７３、７３Ａ、７３Ｂ    検電ユニット
７４                    透光部材（表示部）
７３３                  発光素子（報知手段）
７３６                  検電回路（検電手段）
７３４                  フォトセンサ（開閉検出手段）
７３８                  発音回路（報知手段）
７３９                  発音素子（報知手段）
８                      取外し検出機構（取外し検出手段）
【図１】
2018098924.tif 000003
【図２】
2018098924.tif 000004
【図３】
2018098924.tif 000005
【図４】
2018098924.tif 000006
【図５】
2018098924.tif 000007
【図６】
2018098924.tif 000008
【図７】
2018098924.tif 000009
【図８】
2018098924.tif 000010
【図９】
2018098924.tif 000011
【図１０】
2018098924.tif 000012
【図１１】
2018098924.tif 000013
【図１２】
2018098924.tif 000014